(57)【要約】【課題】外出時に携帯電話機の電池が切れた場合等において、緊急避難的充電を行うのに便利な携帯用のストラップの提供を課題とする。【解決手段】携帯電話機に吊り下げて用いることができる携帯用のストラップであって、人、動植物、キャラクター、その他の人形や縫ぐるみからなる吊り下げ対象であるストラップ本体２０を有し、該ストラップ本体２０には、パソコン等のコンピュータのＵＳＢ出力端子に接続することができるＵＳＢ接続端子２１と、該ＵＳＢ接続端子２１とはストラップ本体２０内で電気接続され且つ携帯電話機の充電用入力端子に接続することができる携帯電話機用接続端子２２とを備えてある。【選択図】　　　　図１
0003098621.tif 000002
【実用新案登録請求の範囲】
【請求項１】
携帯電話機に吊り下げて用いることができる携帯用のストラップであって、人、動植物、キャラクター、その他の人形や縫いぐるみからなる吊り下げ対象であるストラップ本体を有し、該ストラップ本体には、パソコン等のコンピュータのＵＳＢ出力端子に接続することができるＵＳＢ接続端子と、該ＵＳＢ接続端子とはストラップ本体内で電気接続され且つ携帯電話機の充電用入力端子に接続することができる携帯電話機用接続端子とを備えてあることを特徴とするストラップ。
【請求項２】
ＵＳＢ接続端子と携帯電話機用接続端子は、ストラップ本体の離間した位置において、相互に反対の向きに固定的に取り付けられ、ストラップ本体から突出するＵＳＢ接続端子の接続部でコンピュータのＵＳＢ出力端子に接続させ、ストラップ本体から突出する携帯電話機用接続端子で携帯電話機の充電用入力端子に接続させる構成としてあることを特徴とする請求項１に記載のストラップ。
【請求項３】
ＵＳＢ接続端子と携帯電話機用接続端子との少なくとも一方は、ストラップ本体に嵌合された状態からストラップ本体外へ繰り出し自在に構成されていることを特徴とする請求項１に記載のストラップ。
【請求項４】
ストラップ本体は、動物やキャラクター等の顔と胴体を少なくとも有する縫いぐるみからなり、その縫いぐるみの口部に一方の接続端子が、尻部に他の接続端子が、それぞれ一部突出した状態で取り付けられていることを特徴とする請求項１〜３の何れかに記載のストラップ。
【考案の詳細な説明】
【０００１】
【考案の属する技術分野】
本考案はストラップに関し、より詳しくは、携帯電話機に吊り下げることができる携帯用のストラップに関する。
【０００２】
【従来の技術】
現在出回っている携帯電話機は、一般には電池を電源として用いており、その電池が消耗してしまうと使用不能に陥る。このため使用者は携帯電話機を適当な時点で充電器にセットして、充電する必要がある。
前記携帯電話機の充電は、典型的には、家庭内等の室内の電源コンセントに対して充電器を接続し、この充電器に携帯電話機を載置する形でセットすることで、電磁的に携帯電話機の充電を行う仕方である。
また他の充電の仕方としては、携帯電話機の充電用端子に対して、家庭内等の室内に引かれている交流電源コンセントからＡＣ／ＤＣ変換器等を関して電力を供給することで充電を行う方式である。
【０００３】
【考案が解決しようとする課題】
ところが携帯電話機を持って外出しているときに、運悪く電池が切れてしまった場合、通常において身近には電源コンセントがないということ、及び電源コンセントがあっても、重くて嵩の高いＡＣ／ＤＣ変換機を備えた充電器を一緒に持ち歩くことはないし、更に充電器を持っていても交流電源からの充電には時間がかかる問題がある等、外出時における電池切れは致命的であった。
一方、ＵＳＢ端子から電力供給を受けて携帯電話機等の機器の充電を図ることが可能な手段として、一端側の接続端子をＵＳＢ接続端子とすると共に、他端側の接続端子を被充電器に合った接続端子としたケーブルが提供されている（特開２０００−２０１２０４）。
しかしながら前記ケーブルは、あくまでもケーブルであって、このようなケーブルを外出時に携帯することはないし、また携帯に適した形状には全くなされていない。
また特開２００３−７０１７７、実用新案登録第３０８５３５０号には、乾電池付きの携帯電話機用ストラップ型充電器が提供されている。
しかしながら、このようなストラップは乾電池を必要とすること、また乾電池をセットするバッテリーケースが嵩高となること等、ストラップとして大き過ぎること、及び重くなり過ぎる問題があった。
【０００４】
そこで本考案は上記従来の問題点を解消し、外出時に携帯電話機の電池が切れた場合等において、緊急避難的充電を行うのに便利な携帯用のストラップの提供を課題とする。
【０００５】
【課題を解決するための手段】
上記課題を達成するため、本考案のストラップは、携帯電話機に吊り下げて用いることができる携帯用のストラップであって、人、動植物、キャラクター、その他の人形や縫いぐるみからなる吊り下げ対象であるストラップ本体を有し、該ストラップ本体には、パソコン等のコンピュータのＵＳＢ出力端子に接続することができるＵＳＢ接続端子と、該ＵＳＢ接続端子とはストラップ本体内で電気接続され且つ携帯電話機の充電用入力端子に接続することができる携帯電話機用接続端子とを備えてあることを第１の特徴としている。
また本考案のストラップは、上記第１の特徴に加えて、ＵＳＢ接続端子と携帯電話機用接続端子は、ストラップ本体の離間した位置において、相互に反対の向きに固定的に取り付けられ、ストラップ本体から突出するＵＳＢ接続端子の接続部でコンピュータのＵＳＢ出力端子に接続させ、ストラップ本体から突出する携帯電話機用接続端子で携帯電話機の充電用入力端子に接続させる構成としてあることを第２の特徴としている。
また本考案のストラップは、上記第１の特徴に加えて、ＵＳＢ接続端子と携帯電話機用接続端子との少なくとも一方は、ストラップ本体に嵌合された状態からストラップ本体外へ繰り出し自在に構成されていることを第３の特徴としている。
また本考案のストラップは、上記第１〜第３の何れかの特徴に加えて、ストラップ本体は、動物やキャラクター等の顔と胴体を少なくとも有する縫いぐるみからなり、その縫いぐるみの口部に一方の接続端子が、尻部に他の接続端子が、それぞれ一部突出した状態で取り付けられていることを第４の特徴としている。
【０００６】
上記第１の特徴によれば、携帯電話機を持って外出中等に該電話機が電池切れとなった場合、例えばそこが職場においては該職場にあるパソコン（コンピュータ）を借りることで、自己の携帯電話機に吊り下げているストラップ本体を用いて、そのストラップ本体に備えてあるＵＳＢ接続端子をパソコンのＵＳＢ出力端子に接続し、ストラップ本体に備えてあるもう一つの携帯電話機用接続端子を携帯電話機の充電用入力端子に接続することで、携帯電話機の緊急避難的充電ができる。
また電池切れの場所が街中であっても、最近はインターネットカフェやその他のパソコンを時間貸しする場所等が多数あることから、パソコンが使用できる場所に容易に行き着くことができ、緊急避難的充電を容易に図ることが可能となる。
【０００７】
最近のほとんどのパソコンにはＵＳＢ端子が備えられており、且つ至るところに使用可能なパソコンがある。
またＵＳＢ端子を用いた充電の場合には、重くて嵩の高い交流直流変換機を必要としないので、軽量で嵩の低い小さなストラップが可能である。交流直流変換機を必要とするものでは、事実上において携帯電話機に吊り下げができるようなストラップにはならない。
勿論、ＵＳＢ接続端子を用いたパソコンからの携帯電話機への充電は、緊急避難的ではなく通常の充電であってもよく、速やかな充電が可能である。
本考案のストラップは携帯電話機に吊り下げておくのが最適であるが、サイフやバッグ等に吊り下げておくこともできる。
よって本考案の第１の特徴のストラップによれば、ＵＳＢ接続端子と携帯電話機用接続端子とを備え、且つ軽量で嵩の低いストラップとすることができるので、常時携帯にも適しており、外出時に携帯電話機の電池が切れた場合等においても、最近では比較的簡単に行き着くことができる街中等にある使用可能なパソコンを利用して、緊急避難的充電を便利に速やかに行うことが可能となる。
【０００８】
また上記第２の特徴によれば、上記第１の特徴による作用効果に加えて、携帯電話機の充電の際には、ストラップ本体に突出固定された携帯電話機用接続端子を用いて携帯電話機に直接的に取り付けて接続し、一方、ストラップ本体に前記携帯電話機用接続端子とは離間して反対向きに突出固定されたＵＳＢ接続端子を用いてコンピュータに直接的に取り付けて接続する。これによって携帯電話機がストラップ本体を介してコンピュータに接続され、コンピュータのＵＳＢ出力端子から直流電力の供給を受けて充電がなされる。
ストラップ本体に固定的に取り付けられたＵＳＢ接続端子及び携帯電話機用接続端子は、相互に離間して且つ反対向きに突出されているので、ストラップ本体によって携帯電話機とコンピュータとを容易に接続することができる。
よって本考案の第２の特徴のストラップによれば、ストラップ本体に相互に離間して且つ反対向きに突出して固定されたＵＳＢ接続端子と携帯電話機用接続端子とによって簡単に、便利に携帯電話機とコンピュータとを接続してＵＳＢ端子を用いた充電が可能となる。
【０００９】
上記第３の特徴によれば、上記第１の特徴による作用効果に加えて、携帯電話機に充電を行う場合、ストラップ本体に繰り出し自在に嵌合されたＵＳＢ接続端子若しくは携帯電話機用接続端子、或いはその両方を繰り出して、それぞれコンピュータ及び携帯電話機に接続することができる。従って携帯電話機の充電用入力端子とコンピュータのＵＳＢ出力端子とを充分には近づけることができないような場合でも、簡単に接続して充電を行うことができる。
【００１０】
上記第４の特徴によれば、上記第１〜第３の何れかの特徴による作用効果に加えて、例えばＵＳＢ接続端子がストラップ本体を構成する動物等の縫いぐるみの顔の口部に一部突出して取り付けられ、携帯電話機用接続端子が縫いぐるみの胴体の尻部に一部突出して取り付けられているので、ストラップ本体を構成する縫いぐるみの構成にうまく溶け込んだ状態（マッチした状態）で一対の接続端子を取り付けることができ、且つ一対の接続端子を相互に離間して配置し、また反対向きに配置することができる。
【００１１】
【考案の実施の形態】
以下の図面を参照して、本考案の実施形態を説明する。
図１は本考案に係るストラップの一実施形態を示す斜視図、図２はストラップ本体に対してＵＳＢ接続端子と携帯電話機用接続端子の備え付け状態を説明する図である。
【００１２】
本考案のストラップは吊り下げ紐１０とストラップ本体２０とからなる。
前記吊り下げ紐１０は携帯電話機に吊り下げるための紐である。該吊り下げ紐１０は、要するに携帯電話機に吊り下げることができるものであればよく、その紐の種類や形状等は限定されるものではなく、吊り下げ手段としての機能を果たすものであればよい。吊り下げ紐１０による吊り下げ対象は携帯電話機が最もよいわけであるが、勿論、携帯電話機の代わりにバッグやその他の携帯品であってもよい。
【００１３】
前記ストラップ本体２０は、本実施形態では犬の縫いぐるみとして構成している。このストラップ本体２０である犬の縫いぐるみの顔の口部にＵＳＢ接続端子２１を一部突出した状態で取り付けてある。また犬の縫いぐるみの胴体の尻部に携帯電話機用接続端子２２を一部突出した状態で取り付けてある。ストラップ本体２０である犬の縫いぐるみの口部と尻部とに各端子２１、２２を取り付けることで、両端子２１、２２は相互に離間した位置となり、且つ両端子２１、２２の向きが反対向きとなる。これによって、ストラップ本体２０を一方の端子２１で図示しないコンピュータのＵＳＢ出力端子に容易に接続し、他方の端子２２で図示しない携帯電話機の充電用入力端子にそれぞれ容易に接続することができる。
【００１４】
前記ストラップ本体２０は、必ずしも犬の縫いぐるみである必要はない。動物やキャラクター等の顔と胴体とを少なくとも有する縫いぐるみ、人形とし、その顔の口部と胴体の尻部にそれぞれ接続端子２１、２２を一部突出して取り付けるようにしてもよい。顔の口部と尻部に接続端子２１、２２を取り付けることで、それら接続端子を違和感なく、縫いぐるみの構成にうまく溶け込んだ状態（マッチした状態）で取り付けることができる。
【００１５】
前記ストラップ本体２０は、必ずしも顔と胴体があるものである必要はない。前記顔や胴体を有さない形状からなるストラップ本体２０にＵＳＢ接続端子２１と携帯電話機用接続端子２２に取り付ける場合、それら一対の端子２１、２２を相互に離間した位置で且つ相互に反対方向を向くように取り付けるのがよい。そうすることで、ストラップ本体２０を介して携帯電話機とコンピュータとを容易に接続して、携帯電話機への充電を行うことができる。
【００１６】
前記ＵＳＢ接続端子２１と携帯電話機用接続端子２２は、ストラップ本体２０に対して固定的に取り付けることができる。またＵＳＢ接続端子２１と携帯電話機用接続端子２２の少なくともその一方については、ストラップ本体２０に嵌合された状態からストラップ本体２０外へ繰り出し自在に構成することができる。繰り出し自在とすることで、携帯電話機とコンピュータのＵＳＢ出力端子との間に少し距離がある場合であっても、ストラップ本体２０からＵＳＢ接続端子２１又は携帯電話機用接続端子２２、或いは両端子２１、２２を繰り出すことで、容易に携帯電話機とコンピュータとを接続して、充電を行うことができる。
【００１７】
図２を参照して、ＵＳＢ接続端子２１を縫いぐるみの口部に繰り出し自在に構成した場合を説明する。
縫いぐるみの口部内に収容ケース２３を固設し、該収容ケース２３に対してＵＳＢ接続端子２１を繰り出し自在に嵌合させる。この場合、ＵＳＢ接続端子２１はその一部が縫いぐるみから突出するようにして掴み易くし、繰り出しが容易となるようにする。
他方の携帯電話機用接続端子２２については、縫いぐるみの尻部内に固設された収容ケース２４に一部が突出した形で嵌合して固定する。勿論、この携帯電話機用接続端子２２についても繰り出し自在とすることができる。
前記ＵＳＢ接続端子２１を繰り出し自在としたことに伴い、ストラップ本体２０内に巻取器２５を設けて、ＵＳＢ接続端子２１のケーブル２６を常時巻き取り方向に付勢状態に保持する。これによって繰り出されたＵＳＢ接続端子２１を元の収容ケース２３に戻す際に、ケーブル２６を速やかに巻き戻すことができ、収容操作が容易になる。
【００１８】
なお携帯電話機用接続端子２２のケーブル２６は、前記ＵＳＢ接続端子２１のケーブル２６と電気接続されておれば十分であり、前記巻取器２５によって付勢されている必要はない。
携帯電話機の充電の際には、ＵＳＢ接続端子２１をストラップ本体２０から繰り出し、図示しないコンピュータのＵＳＢ出力端子に接続する。一方、ストラップ本体２０に突出状態で固定された携帯電話機用接続端子２２を図示しない携帯電話機の充電用入力端子に接続する。これによって、ＵＳＢ端子を用いたコンピュータからの電力の供給を受け、携帯電話機の充電がなされる。
また接続端子２１、２２が繰り出されるタイプでないもの（ストラップ本体２０に固定的に備えられるもの）の場合は、前記巻取器２５は必要なく、ＵＳＢ接続端子２１のケーブル２６と携帯電話機用接続端子２２のケーブル２６が直接的の電気接続されることになる。
【００１９】
【考案の効果】
本考案は以上の構成、作用よりなり、請求項１に記載のストラップによれば、携帯電話機に吊り下げて用いることができる携帯用のストラップであって、人、動植物、キャラクター、その他の人形や縫いぐるみからなる吊り下げ対象であるストラップ本体を有し、該ストラップ本体には、パソコン等のコンピュータのＵＳＢ出力端子に接続することができるＵＳＢ接続端子と、該ＵＳＢ接続端子とはストラップ本体内で電気接続され且つ携帯電話機の充電用入力端子に接続することができる携帯電話機用接続端子とを備えてあるので、
ＵＳＢ接続端子と携帯電話機用接続端子とを備えた、常時携帯にも適した軽量で嵩の低いストラップとすることができ、また外出時に携帯電話機の電池が切れた場合等においても、最近では比較的簡単に行き着くことができる街中等にある使用可能なパソコンを利用して、緊急避難的充電を便利に且つ速やかに行うことが可能となる。
また請求項２に記載のストラップによれば、上記請求項１に記載の構成による効果に加えて、ＵＳＢ接続端子と携帯電話機用接続端子は、ストラップ本体の離間した位置において、相互に反対の向きに固定的に取り付けられ、ストラップ本体から突出するＵＳＢ接続端子の接続部でコンピュータのＵＳＢ出力端子に接続させ、ストラップ本体から突出する携帯電話機用接続端子で携帯電話機の充電用入力端子に接続させる構成としてあるので、
ストラップ本体に相互に離間して且つ反対向きに突出して固定されたＵＳＢ接続端子と携帯電話機用接続端子とによって簡単に、便利に携帯電話機とコンピュータとを接続してＵＳＢ端子を用いた充電が可能となる。
また請求項３に記載のストラップによれば、上記請求項１に記載の構成による効果に加えて、ＵＳＢ接続端子と携帯電話機用接続端子との少なくとも一方は、ストラップ本体に嵌合された状態からストラップ本体外へ繰り出し自在に構成されているので、
携帯電話機に充電を行う場合、ストラップ本体に繰り出し自在に嵌合されたＵＳＢ接続端子若しくは携帯電話機用接続端子、或いはその両方を繰り出して、それぞれコンピュータ及び携帯電話機に接続することができる。従って携帯電話機の充電用入力端子とコンピュータのＵＳＢ出力端子とを充分には近づけることができないような場合でも、簡単に接続して充電を行うことができる。
また請求項４に記載のストラップによれば、上記請求項１〜３の何れかに記載の構成による効果に加えて、ストラップ本体は、動物やキャラクター等の顔と胴体を少なくとも有する縫いぐるみからなり、その縫いぐるみの口部に一方の接続端子が、尻部に他の接続端子が、それぞれ一部突出した状態で取り付けられているので、
ＵＳＢ接続端子と携帯電話機用接続端子とを、縫いぐるみの構成である顔と胴体の部分にうまく溶け込んだ状態（マッチした状態）で突出状態に取り付けることができ、且つ一対の接続端子を相互に離間して配置し、また反対向きに配置することができる。
【図面の簡単な説明】
【図１】本考案に係るストラップの一実施形態を示す斜視図である。
【図２】ストラップ本体に対してＵＳＢ接続端子と携帯電話機用接続端子の備え付け状態を説明する図である。
【符号の説明】
１０　吊り下げ紐
２０　ストラップ本体
２１　ＵＳＢ接続端子
２２　携帯電話機用接続端子
２３　収容ケース
２４　収容ケース
２５　巻取器
２６　ケーブル
【図１】
0003098621.tif 000003
【図２】
0003098621.tif 000004